(57)【要約】      （修正有）【課題】男性や女性のズボンやスカートの衣装において、バックルとベルトに豊かなデザイン性とファッシヨン性を加えられて、簡単に締め付けられるバックルとベルトを提供する。【解決手段】男性のズボンや女性のスラックス、スカート等のバックルＡは、内側の上下両サイドに爪機構の逆進止めと逆進止め解除の仕組みを備え、表面には柄模様の加工が出来る。バックルＡに挿入するベルトＢは、ベルトの上下両サイドに等間隔で凹凸を形成しその凹凸がバックル爪機構で上下から逆進止するようになり、解除をする時は、バックル内側のロック解放板の移動で突起した爪は、内部に入ってベルトの凹凸に触れないで簡単に外れ、ベルト表面にも多様なデザインを可能とする。【選択図】図１
0003210173.tif 000002
【実用新案登録請求の範囲】
【請求項１】
本考案は、男性のズボンや女性のスラックス、スカートなどベルトの締め付けを簡単にできる装飾バックルと両側の側面へ凹凸加工したデザインベルトで、逆進止めバックルと凹凸デザインベルトの装置である。
【請求項２】
本考案のバックルとベルトは、軽素材でステンレスやアルミ板や合成樹脂などの金や銀メッキなどで多様なデザインのファッションを可能にする逆進止めバックルと凹凸デザインベルトの装置である。
【考案の詳細な説明】
【技術分野】
【０００１】
本考案は、男性や女性のズボンやスカートの衣装において、バックルとベルトに豊かなデザイン性とファッシヨン性を加えて、簡単に締め付けられる柄パックルとベルトに関するものである。
【背景技術】
【０００２】
従来のベルト留め金（パックル）は、ズボンやスカートが、腰から下がらないように腰のサイズに合わせて革バンドに等しい間隔の穴に留め金を差し込む方式である。
【０００３】
また、パックルでベルトの厚みをはさみ込んで締め付け位置を固定する方式。
【０００４】
さらに、ベルトの裏面に凹凸を固定して、パックルで止める仕組みもある。
【先行技術文献】
【特許文献】
【０００５】
【特許文献１】実登3132969号
【考案の概要】
【考案が解決しようとする課題】
【０００６】
従来のベルトの留め金具（バックル）は、穴への差し込み式と厚みへの挟み止め式が主流であるが、本考案は、バックルの逆進止め装置でベルトの両側面に凹凸の金具をロックする。バックルの表面に景色や文字、絵などのデザインを加え、ベルトは、凹凸デザインを加工しおしゃれなファッシヨン感覚を拡大しようとするものである。
【課題を解決するための手段】
【０００７】
本考案は、デザイン柄の逆進止めバックルと両側面の凹凸を加工したデザインベルトが、衣装品の利便性とファッションの機能を拡大する物である。
【考案の効果】
【０００８】
本考案によって、デザイン性のある逆進止めバックルと、アクセサリーとしての凹凸ベルトは、衣装のアクセントとは、流行性や経済的な効果が拡大される。
【図面の簡単な説明】
【０００９】
【図１】表面のデザイン付きバックルと厚みのある凹凸柄ベルトの全体図
【図２】バックルの逆進止めロックの構造図と部品の符号
【図３】裏カバーの固定板とバックルの逆進止め解放板の２枚の図
【図４】バックルのベルト挿入部の正面図
【図５】厚みのある凹凸ベルトの斜頚図
【図６】ベルトとバックルの逆進ロック解除の図
【図７】逆進止めロック解放板の解除の図
【考案を実施するための形態】
【００１０】
逆進止めパックルと凹凸デザインベルトは、別々にデザインされる事が出来て、装飾性の経済効果が大きくなる。また、資材面でも逆進止めパックルと凹凸デザインベルトは、ステンレスやアルミ、樹脂等の金色や銀色などカラーメッキなどにより今まで以上にファッション性を高める事が出来る。
【実施例１】
【００１１】
凹凸デザインベルト（B）を図2のバックルに挿入すると、バックルの逆進防止装置の押しバネ（F）と逆進止めの爪（G）をベルトの凸金具が押して侵入する。
【実施例２】
【００１２】
バックル金具（A）に凹凸のデザインベルト（B）を挿入して、ベルトの先端を引っ張り、腰の締め付け具合が良いところで、引手を放せばベルト凸が上と下の（G）に止められて瞬時にロックされてベルトが固定する。
ベルト（B）を外す時は、バックルの逆進防止装置の（G）爪の調節板の（E）を右に引けば留め金の爪が隠れて、ロック解除になって簡単にベルトが戻り外れる。
【００１３】
【符号の説明】
【００１４】
A：バックルの表面に各種のデザイン柄が接着できる。
B：ベルトは両サイドの凹凸をデザイン化して制作。
C：バックルの裏面ふたとネジ穴
D：バックルの正面と裏の固定版
E：調節板Gの弁を出し入れする板。
F：コイルの押しバネ
G：バンドの逆進を止める爪
H；ベルトに固定された凹凸デザイン金具
I：ベルトの芯・生地
J：ベルトの挿入正面図
K：ベルトの斜面図
【図１】
0003210173.tif 000003
【図２】
0003210173.tif 000004
【図３】
0003210173.tif 000005
【図４】
0003210173.tif 000006
【図５】
0003210173.tif 000007
【図６】
0003210173.tif 000008
【図７】
0003210173.tif 000009
【手続補正書】
【提出日】平成28年11月28日(2016.11.28)
【手続補正１】
【補正対象書類名】実用新案登録請求の範囲
【補正対象項目名】全文
【補正方法】変更
【補正の内容】
【実用新案登録請求の範囲】
【請求項１】
男性のズボンや女性のスラックス、スカートなどのバックル表面に柄模様を加工し、バックルの上下両サイドに爪機構の逆進止めの装置を備えたことを特徴とする柄模様バックル。
【請求項２】
バックルの装置に挿入するベルトの幅の表側の中央部には、請求項１の爪機構を上下両位置で停止するように等間隔で突起帯を形成し、その突起帯がベルトの表面で多様なデザインを可能とする特徴の請求項１記載のベルト。
【手続補正書】
【提出日】平成29年1月18日(2017.1.18)
【手続補正１】
【補正対象書類名】実用新案登録請求の範囲
【補正対象項目名】全文
【補正方法】変更
【補正の内容】
【実用新案登録請求の範囲】
【請求項１】
男性のズボンや女性のスラックス、スカートなどのバックル表面に柄模様を加工し、バックル内側の上下両サイドに爪機構の逆進止と解除の装置とを備えたことを特徴とする柄模様バックル。
【請求項２】
請求項１のバックル装置に挿入するベルトには、ベルトの上下両サイドに等間隔で凹凸を形成し、その突起帯が爪機構で上下から逆進停止するようになり、また逆進の解除は、バックル内側ロック板の移動で突起した爪は内部に入って凹凸ベルトがはずれる、表面は多様なデザインを可能とする特徴のベルト。
【手続補正書】
【提出日】平成29年3月2日(2017.3.2)
【手続補正１】
【補正対象書類名】実用新案登録請求の範囲
【補正対象項目名】全文
【補正方法】変更
【補正の内容】
【実用新案登録請求の範囲】
【請求項１】
男性のズボンや女性のスラックス、スカート等のバックル装置で、内側の上下両サイドに爪機構の逆進止めと逆進止め解除の仕組みを備え、表面には柄模様の加工が出来る事を特徴とするバックル。
【請求項２】
請求項１のバックル装置に挿入するベルトで、ベルトの上下両サイドに等間隔で凹凸を形成しその凹凸がバックル爪機構で上下から逆進止するようになり、解除をする時は、バックル内側のロック解放板の移動で突起した爪は、内部に入ってベルトの凹凸に触れないで簡単に外れ、ベルト表面にも多様なデザインを可能とする特徴のベルト。